(57)【特許請求の範囲】
【請求項１】
移動体網へ接続し通信するための移動体網インタフェース手段を備えた電話機と，管理サーバと，を備える通信システムであって，
前記管理サーバは、IP網との接続手段と、LANとの接続手段と、前記IP網と前記LANとを介して送受信されるパケットの中継手段と、を備え、
前記電話機は，
前記管理サーバと前記LANを介して接続するLANインタフェース手段と，
前記LANを介して前記管理サーバとパケット通信を行う手段と，を備え，
前記管理サーバ装置は，
前記電話機の前記LANインタフェース手段との間で前記LANを介したパケット通信を行う手段と、
前記IP網へ接続するIP網インタフェース手段と、
前記電話機と、前記電話機が行う前記パケット通信の相手端末と、の前記IP網におけるアドレスを管理するコネクション管理テーブルと、を備え，
前記電話機は，
前記LANを利用可能な状態でオフフックした場合に，前記管理サーバ装置を宛先とする，前記IP網に接続された相手端末への接続要求コマンドを、前記LANを介して送出する手段と，
前記管理サーバ装置から，当該電話機に割り当てられた前記IP網におけるアドレスを取得する手段と，
取得した前記アドレスを自アドレスとするパケットを構成して，前記管理サーバとの間で前記LANを介したパケット通信を行う手段と，を備え、
前記管理サーバは、
前記コネクション管理テーブルを参照して、前記LANを介して前記電話機から受信したパケットの宛先を前記相手端末に書き換えて、前記IP網へ送出する手段を備える
ことを特徴とする通信システム。
【請求項２】
請求項１に記載の通信システムであって，
前記電話機は，
自電話機にユニークに割り当てられ，前記IP網における自携帯電話機の認証に用いる認証情報を，予め格納する蓄積手段を備え，
前記IP網におけるアドレスを取得する手段は，前記管理サーバ装置に，自電話機の認証を要求し，認証に成功した場合に，前記IP網におけるアドレスを取得し，
前記管理サーバ装置は，
前記電話機から，受信した認証情報を用いて，前記電話機を認証する手段と，
前記認証に成功した場合に，前記電話機に，前記IP網におけるアドレスを割り当て，当該アドレスを前記コネクション管理テーブルに登録する手段と，を備える
ことを特徴とする通信システム。
【請求項３】
請求項１または２に記載の通信システムであって，
前記電話機は，
前記相手端末のアドレスの入力手段と，
前記入力手段を介して受け付けた前記相手端末のアドレスを，前記パケットに含めて前記管理サーバ装置へ送信する手段と，を備え，
前記管理サーバ装置は，
前記電話機から受信したパケットに含まれる，前記相手端末のアドレスを、前記コネクション管理テーブルに登録
する手段と，を備える
ことを特徴とする通信システム。
【請求項４】
請求項１ないし３いずれか一に記載の通信システムであって，
前記管理サーバ装置は，
前記相手端末から受信したパケットに含まれる，前記電話機のアドレスを取得する手段と，
取得した前記電話機のアドレスを宛先とするパケットを構成する手段と，
前記構成したパケットを，前記電話機へ送信する手段と，を備える
ことを特徴とする通信システム。
【請求項５】
移動体網へ接続し通信するための移動体網インタフェース手段を備えた電話機であって，
IP網に接続された管理サーバとLANを介して接続するLANインタフェース手段と，
前記LANを介して前記管理サーバとパケット通信を行う手段と，
前記LANを利用可能な状態でオフフックした場合に，前記管理サーバ装置を宛先とする、前記IP網に接続された相手端末への接続要求コマンドを、前記LANを介して送出する手段と，
前記管理サーバ装置から，当該電話機に割り当てられた前記IP網におけるアドレスを取得する手段と，
取得した前記アドレスを自アドレスとするパケットを構成して，前記管理サーバとの間で前記LANを介したパケット通信を行う手段と，を備える
ことを特徴とする移動体網インタフェース手段を備えた電話機。
【請求項６】
請求項５に記載の移動体網インタフェース手段を備えた電話機であって，
自電話機にユニークに割り当てられ，前記IP網における自携帯電話機の認証に用いる認証情報を，予め格納する蓄積手段を備え，
前記IP網におけるアドレスを取得する手段は，前記管理サーバ装置に，自電話機の認証を要求し，認証に成功した場合に，前記IP網におけるアドレスを取得する
ことを特徴とする移動体網インタフェース手段を備えた電話機。
【請求項７】
請求項５または６に記載の移動体網インタフェース手段を備えた電話機であって，
前記電話機は，
前記相手端末のアドレスの入力手段と，
前記入力手段を介して受け付けた前記相手端末のアドレスを，前記パケットに含めて前記管理サーバ装置へ送信する手段と，を備える
ことを特徴とする移動体網インタフェース手段を備えた電話機。
【発明の詳細な説明】
【０００１】
【発明の属する技術分野】
本発明は、マルチメディア通信システムに関する。
【０００２】
【従来の技術】
携帯電話・PHSの普及に伴い、インターネットへのアクセス機能が装備され、チケット予約サービスやメールサービス等が提供されヒットしている。以前は、電子手帳や移動体端末のモデム経由のアクセス手段として利用されていたが、携帯電話・PHSから直接メールの送受信やWebサーバへアクセスすることができるようになり、いつでも、どこでも、携帯電話さえあれば、音声・映像・データ問わずに情報を取得することが可能になった。
【０００３】
一方、家庭からのアクセス系として、従来の公衆電話網利用ダイアルアップ接続のみならず、CATV・無線・xDSL・電力線といったインフラを利用したサービスの検討・実験・運用が開始されている。前記アクセス回線を利用したインターネットへの定額常時接続サービスが期待され、今後、家庭の複数の末端の通信端末からフルIPの接続が増加していくものと予想できる。
【０００４】
【発明が解決しようとする課題】
現状の携帯電話のデータ通信速度は9600kbps〜64kbps（モデム経由で移動体端末が接続されている場合）程度と低速である。最近の携帯電話は映像も受信できるようになっているが、通信速度が低速なため、十分な品質の動画像を提供するには至っていない。屋外での移動中、簡単な情報の取得・発信等には支障はないものと思われるが、家庭やオフィス内にEthernetのような中・高速のＬＡＮ（Local Area Network）が敷設されていても、これを利用することが出来ないという課題がある。
【０００５】
また、ＩＰ通信サービスを受けられない通信端末の不正なりすましを防止しなければならないという課題がある。
【０００６】
本発明の目的は、屋外・屋内それぞれのインフラの環境に応じたデータ通信サービスを利用できる携帯電話機を提供することにある。
【０００７】
また、本発明の別の目的は、複数のＩＰ通信端末がＩＰ網に接続する際の端末管理・呼制御の代替サービスを行う呼管理サーバを提供することにある。
【０００８】
【課題を解決するための手段】
上記課題を解決するために、本発明の携帯電話機は、ＬＡＮインタフェースと、ＩＰ通信プロトコルに従ってＩＰ通信を行い、携帯電話機のハードウェアにユニークに割り振られている情報をＩＰ通信サービス利用可能判定情報とし、屋内のＬＡＮ環境では直接ＩＰ網に接続する手段を備えることを特徴とする。
【０００９】
【発明の実施の形態】
まず、本発明の実施形態について、図１〜図１２を参照して説明する。
【００１０】
図１に、本発明の実施形態に関わる携帯電話システムの構成例を示す。
【００１１】
図１において、IP網１と、移動体網２と、LANのようなパケット網３と、IP網１とパケット網３との接続点に呼管理サーバ４が、IP網１に複数のルータ５−１〜５−３が、パケット網３にIP電話機６と通信端末７と携帯電話機１０−３が、IP網１と移動体網２との接続点に移動体網中継サーバが、移動体網２に無線基地局９と携帯端末１０−１、１０−２とが接続されている。
【００１２】
図２に、携帯電話機１０−３の外観を示す。
【００１３】
図２において、携帯電話機１０−３は、パケット網３を接続するためのIP網インタフェース部２０と、充電アダプタ２２と、充電アダプタ２２を接続するための充電インタフェース部２１とを持つ。充電アダプタ２２は、携帯電話機１０−３と同様にIP網インタフェース部２１と、コンセントケーブルとを持つ。携帯電話機１０−３に充電アダプタ２２を接続している場合は、充電アダプタ２２のIP網インタフェース部２１を使って、パケット網３へ接続する。
【００１４】
図３に、携帯電話機１０−３の内部構成を示す。
【００１５】
図３において、携帯電話機１０−３は、通信プログラム等が格納されているメモリ３１と、メモリ３１のプログラムに基づく処理を行うＣＰＵ３０と、蓄積装置３２と、充電池３３と、テンキー、マイク等の入力装置３５と、スピーカ、ディスプレイ等の出力装置４９と、ＩＰ網１で通信を行うためのＩＰ網インタフェース４０と、ＩＰ網インタフェース４０にＩＰ網１が接続されたかどうかを検出して移動体網通信処理とＩＰ網通信処理のモード切替えを行う移動体／ＩＰ接続切替検出３４と、従来の携帯電話網における通信処理を行う移動体網通信処理５４と、移動体網２で通信を行うための移動体網インタフェース５５と、音声データの変換処理行うハードウェアと、メモリ３１に展開される通信プログラムにより構成され、各モジュールは内部バスにより接続する。音声データ変換処理を行うハードウェアは、送信処理として、アナログ音声データをディジタルデータへ変換するＡ／Ｄ変換４０と、ディジタル化されたデータを符号化するCoder４２と、Coder４２により符号化された音声データをパケット化するデータパケット化処理部４３と、パケット化された音声データに通信相手のアドレス情報や音声符号化方式等を示すヘッダ情報、例えばＩＰ網の場合は、ＩＰヘッダ、ＴＣＰ／ＵＤＰヘッダを付与するネットワークパケット化処理部３９と、受信処理として、前記IP網インタフェース４０により受けた音声パケットからヘッダ情報を取るネットワークパケット分解部４４と、ネットワークヘッダ情報を除いたデータをコマンドとデータとに振り分けるデータ／コマンド振分け処理４５と、データが音声データの場合は、音声データ変換処理のハードウェア内の出力データキュー５０でバッファリングする。出力データキュー５０から１音声データずつ取得し、音声データに付加されている情報と音声データとを分解するデータヘッダ除去処理５１と、音声データが符号化されている場合は復号化処理を行うDecoder５２と、復号化されたディジタルデータ（ＰＣＭ）をアナログ音声データへ変換するＤ／Ａ変換部５３とから構成する。但し、データパケット化処理４３と、ネットワークパケット化処理３９、データ／コマンド振分け処理４５、出力データキュー５０、データヘッダ除去処理５１はソフトウェアで実現しても構わない。通信プログラムには、送信処理として、入力装置３５により受けたイベントを解析するイベント解析処理３６と、該イベントが通新設定に関するイベントであった場合、対応するコマンドを作成するコマンドパケット化処理３７と、該コマンドパケットの作成に必要な情報や通信状況を管理する発信呼制御処理３８とを、受信処理として、データ／コマンド振分け処理４５により振分けられたコマンド情報を受け取り、コマンド種別を解析するコマンド解析処理４７と、ユーザへ通知する必要のあるコマンドを出力するためのデータを作成する出力データ生成処理４８と、呼制御処理のステータスを管理する受信呼制御処理４６とから構成する。
【００１６】
前記蓄積装置３２には、携帯電話機１０−３については、少なくともＩＰ網接続時の自携帯電話機を管理する呼管理サーバ４のアドレスと、自携帯電話機の認証情報として、例えば、携帯電話機の製造番号やＩＰ網インタフェースのハードウェア製造番号等ハードウェアにユニークに割り振られている番号が登録されている。
【００１７】
図４に、呼管理サーバ４の内部構成の一例を示す。
【００１８】
図４において、ＣＰＵ３０、メモリ３１、蓄積装置３２、入力装置３４、ネットワークパケット化処理３８、IP網インタフェース３９、ネットワークパケット分解処理４３、データ／コマンド振分け処理４４、コマンド解析４６、出力データ生成出力装置４８は、図３と同じである。前記蓄積装置３２には、携帯電話機１０−３のアドレスと、該携帯電話機１０−３の認証情報、例えば、携帯電話機の製造番号やＩＰ網インタフェースのハードウェア製造番号等ハードウェアにユニークに割り振られている番号との組を登録する通信端末管理ファイルが格納されている。さらに、携帯電話機１０−３や他の通信端末７への発信制御を管理する発信呼制御処理６０と、受信データが他の通信端末７へのデータであった場合に、受信データに含まれる中継先通信端末７の情報を解析する中継先解析処理６１と、受信データを中継するための中継先アドレス情報等書き換え処理を行うデータヘッダ変換処理６２と、受信データが携帯電話機１０−３に対するコマンドであった場合に、携帯電話機１０−３へ送信するためのデータを生成する出力データ生成処理６３と、受信制御を管理する受信呼制御処理６４とを有する。
【００１９】
図５に、呼管理サーバ４が管理するコネクション管理テーブルの一例を示す。
図５において、８０は自呼管理サーバ４に登録されている携帯電話機１０−３やＩＰ電話機６、通信端末７のアドレス情報を、８１は各登録端末の認証情報を、８２は自呼管理サーバ４が中継する通信先の端末のアドレスを示す。
【００２０】
図６に、本携帯電話ＩＰ接続システムの処理の全体の流れの一例を示す。
【００２１】
図６において、前記携帯電話機１０−３を使用しているユーザがＬＡＮケーブルを接続してＩＰ網接続準備９０をすると、携帯電話機１０−３はＩＰ網インタフェース接続を検出して、携帯電話通信モードからＩＰ通信モードへ処理を切替える処理９１を行う。携帯電話機１０−３はオフフックすると、認証情報を取得してＩＰアドレス割当て要求とを含んだＩＰ接続要求コマンドを生成し、自携帯電話機１０−３を管理する前記呼管理サーバ４への送信処理９２を行う。IP接続要求コマンドを受信した呼管理サーバ４は、該コマンドに含まれる認証情報から、あらかじめ蓄積装置３２に登録してる管理対象の通信端末かどうかを検索して認証処理を行う。ＩＰ接続を承認した場合は、ＩＰアドレスを割り当て、前記コネクション管理テーブルへ登録する処理９３を行う。ＩＰ接続を承認した場合は、要求元の携帯電話機１０−３に対し、割当てるＩＰアドレスを含んだＩＰ接続承認コマンドの生成・送信処理９４を行う。携帯電話機１０−３は、ＩＰ接続承認コマンドを受信した場合、該コマンドに含まれるＩＰアドレスを取得して、ＩＰ通信処理を行うモジュールで利用できるように設定処理９５を行う。携帯電話機１０−３のユーザから着信先のアドレス通知処理９６が行われた場合、呼管理サーバ４に対して、該着信端末アドレス情報を含んだ通信要求コマンドの生成・発信処理９７を行う。通信要求コマンドを受信した該呼管理サーバ４は、該コマンドのヘッダ情報から着信端末のアドレスを取得して、受信した該コマンドの宛先情報を取得着信端末アドレスに書換えて、該着信端末に対して該コマンドを中継する処理９８を行う。呼管理サーバ４は、着信端末からの通信要求コマンドに対するＡＣＫコマンドを受信した場合、該コマンドのヘッダ情報から中継すべき携帯電話機１０−３のアドレス情報を取得し、受信した該コマンドの宛先情報を取得携帯電話機１０−３のアドレスへの書換え処理９９を行い、該携帯電話機１０−３に対して送信する処理１００を行う。その後、携帯電話機１０−３と着信端末との通信データの中継処理１０１を行う。携帯電話機１０−３がオンフックすると、通信切断要求コマンドを生成して、呼管理サーバ４に対する送信処理１０２を行う。該コマンドを受信した呼管理サーバ４は、該コマンドのヘッダ情報から着信端末のアドレスを取得して、ヘッダ情報の書換え、中継処理１０３を行う。その後、通信切断要求コマンドを送信してきた携帯電話機１０−３の情報をコネクション管理テーブルより削除し、割当てていたＩＰアドレスを解放する処理１０４を行う。
【００２２】
図７及び図８に、前記携帯電話機１０−３の処理の流れの一例を示す。図７は全体の処理の流れを、図８はＩＰ通信処理の流れを示す。
【００２３】
図７において、前記携帯電話機１０−３は、前記蓄積装置３２に格納されている通信プログラムを起動すると、ステップ１１０でユーザがＬＡＮケーブルを接続し、何らかのイベント入力があるかどうかを検出し、ＬＡＮケーブル接続が検出された場合（ステップ１１０、yes）、ステップ１１１でＩＰ通信処理を行う。ＬＡＮケーブル接続イベントが検出されない場合は（ステップ１１１、no）、携帯電話網からの通話の発着信イベントがないかどうかを検出する。携帯電話網からの通話着信等があった場合は（ステップ１１２、yes）、ステップ１１３で通常の携帯電話通信処理を行う。ステップ１１４でユーザが携帯電話機１０−３の電源をオフにした場合、本処理を終了する。
【００２４】
図８に、前記ステップ１１１で行う処理の流れの一例を示す。
【００２５】
図８において、ステップ１２０で前記ステップ１１１で入力されたイベントの内容を解析し、該イベントがオフフックである場合（ステップ１２１、yes）、ステップ１２２で認証情報とする、例えば自携帯電話機１０−３のハードウェアシリアル番号を取得する。ステップ１２３で前記ステップ１２２で取得した認証情報を含むＩＰ接続要求コマンドを生成し、ステップ１２４で自携帯電話機１０−３を管理する呼管理サーバ４へ送信する。前記ステップ１２１で解析したイベントがオフフックではなかった場合（ステップ１２１、no）、ステップ１２５で呼管理サーバ４からのＩＰパケット受信イベントであった場合（ステップ１２５、yes）、ステップ１２６で該ＩＰパケットがＩＰ接続承認コマンドであるかどうかを判定する。ＩＰ接続承認コマンドであった場合（ステップ１２６、yes）、ステップ１２７で該コマンドに含まれる、割当てられたＩＰアドレスを取得して通信プログラムに設定する。ステップ１２８で前記ステップで設定したＩＰアドレスと通信先の着信端末アドレスとを含む通信要求コマンドを生成して、前記ステップ１２４で呼管理サーバ４へ送信する。前記ステップ１２６で受信したＩＰパケットがＩＰ接続承認コマンドではなく（ステップ１２６、no）、該ＩＰパケットが通信先である着信端末からのＡＣＫコマンドであった場合（ステップ１２９、yes）、ステップ１３０で通信すべきデータをＩＰパケット化し、前記ステップ１２４で呼管理サーバ４を経由したＩＰデータ通信を行う。前記ステップ１２９で受信したＩＰパケットがＡＣＫコマンドではなかった場合（ステップ１２９、no）、ステップ１３１で通信切断要求コマンドを生成して、前記ステップ１２４で呼管理サーバ４に対して送信する。ステップ１３２でユーザが処理終了イベントを通知した場合（ステップ１３２、yes）、本ＩＰ通信処理を終了する。
【００２６】
図９〜図１１に、前記呼管理サーバ４の処理の流れの一例を示す。図９は全体の処理の流れを、図１０は本システム管理者による設定処理の流れを、図１１はＩＰパケット網通信処理の流れを示す。
【００２７】
図９において、前記呼管理サーバ４は、前記蓄積装置３２に格納されている通信プログラムを起動する、ステップ１４０で管理者からキーボードやマウス等の前記入力装置３４からイベントがあるかどうかを検知し、イベントが入力された場合（ステップ１４０、yes）、ステップ１４１で該イベントについての設定処理を行う。管理者からのイベントがない場合は（ステップ１４１、no）、ステップ１４２においてＩＰパケットの着信がないかどうかを検出する。ＩＰパケット着信があった場合（ステップ１４２、yes）、ステップ１４３で該パケットについてのＩＰパケット処理を行う。ステップ１４４で呼管理サーバ４の運転が停止されるまで（ステップ１４４、yes）、一連の処理を続ける。
【００２８】
図１０に、前記ステップ１４１で行う設定処理の流れの一例を示す。
【００２９】
図１０において、ステップ１５０で前記ステップ１４０で入力されたイベントの内容を解析し、該イベントが新たな携帯電話機１０−３や前記ＩＰ電話機６や前記通信端末７の設置等新規エントリに関する場合（ステップ１５１、yes）、ステップ１５２で通信端末管理ファイルに該新規エントリを追加する。新規エントリの追加ではなく、登録エントリの修正イベントであった場合（ステップ１５３、yes）、ステップ１５４で前記通信端末管理ファイルの該当エントリの内容を修正する。登録エントリの削除イベントであった場合（ステップ１５５、yes）、ステップ１５６で前記通信端末管理ファイルの該当エントリの内容を削除する。入力されたイベントが、新規エントリの追加（ステップ１５１）、登録エントリの修正（ステップ１５３）、登録エントリの削除（ステップ１５５）のいずれでもなかった場合は、ステップ１５７で管理者に対してイベントの再入力処理を通知する。入力されたイベントの処理が終了した場合は、ステップ１５８で処理結果を画面等の出力装置４８に出力して本処理を終了する。
【００３０】
図１１に、前記ステップ１４３で行うＩＰパケット処理の流れの一例を示す。
図１１において、ステップ１６０で前記ステップ１４２で着信したＩＰパケットがコネクションの確立・切断等に関するコマンドであるかどうかを判定し、コマンドである場合は（ステップ１６１、yes）、ステップ１６２で該コマンドに含まれるコマンド発行端末の認証情報を取得する。ステップ１６３で前記ステップ１６２で取得した認証情報が前記通信端末管理ファイルに登録されているものと一致しているかどうかを判定し、認証した場合は（ステップ１６３、yes）、ステップ１６４で該コマンドがＩＰ接続要求であるかどうかを判定する。ＩＰ接続要求であった場合は（ステップ１６４、yes）、ステップ１６５で該コマンドの発行端末に対して割当てるＩＰアドレスを決定し、ステップ１６６で発行端末のＩＰアドレスと認証情報の組を前記コネクション管理テーブルへ登録する。ステップ１６７で割当てるＩＰアドレスを含むＩＰ接続承認コマンドを生成して、該コマンド発行端末に対して送信する。コマンドがＩＰ接続要求コマンドではなく（ステップ１６４、no）、通信要求コマンドか、ＡＣＫコマンドか、あるいは切断要求コマンドであった場合（ステップ１６９、yes）、ステップ１７０で該コマンドに含まれる通信先の相手端末のアドレス情報を取得する。該コマンドが通信要求コマンドであった場合（ステップ１７１、yes）、ステップ１７２で前記ステップ１７０で取得した相手端末のアドレス情報を前記コネクション管理テーブルへ登録する。ステップ１７３で通信要求コマンド、ＡＣＫコマンド、切断要求コマンドの各コマンドの宛先情報を前記ステップ１７０で取得した相手端末のアドレス情報へ書換え、ステップ１７４で該相手端末に対して中継する。該コマンドが切断要求であった場合（ステップ１７５、yes）、ステップ１７６で前記コネクション管理テーブルから該当コネクションに関する情報を削除して、割当てていたＩＰアドレスを解放する。前記ステップ１６０で着信したパケットがコマンドではなく通信データであった場合は（ステップ１６０、no）、宛先情報の書換えを行い、相手先端末へ該データを中継する。
【００３１】
図１２は、本発明で使用するパケットのフォーマットの例である。
【００３２】
図１２において、１８０はＩＰヘッダ、１８１はＴＣＰ／ＵＤＰヘッダ、１８２にはコマンドあるいはデータが格納される。１８３にはコネクションの確立・切断に関するコマンドであるのか、通信データであるのかの種別を示すフィールド、１８４はコマンドの識別子、例えばＩＰ接続要求コマンドであるのか、ＩＰ通信要求コマンドであるのかの種別を示すフィールドで、１８５は発信側の通信端末の認証情報を示すフィールド、１８６は通信先の受信端末のアドレスを示すフィールド、１８７は該パケットが通信データである場合のデータを示すフィールドである。
【００３３】
本実施形態の携帯電話機ＩＰ接続システムによれば、携帯電話機がＬＡＮインタフェースを持ち、屋内のＬＡＮ環境ではＩＰ通信プロトコルに従って直接ＩＰ網に接続するため、従来の移動体端末の通信速度よりも高速な通信アプリケーションサービスを提供することができる。更に、呼制御に関する機能を代行処理する呼管理サーバを設置することにより、携帯電話機に搭載する通信機能・性能の負荷を軽減することができる。
【００３４】
【発明の効果】
本発明によれば、携帯電話機がＬＡＮインタフェースを持ち、屋内のＬＡＮ環境ではＩＰ通信プロトコルに従って直接ＩＰ網に接続するため、従来の移動体端末の通信速度よりも高速な通信アプリケーションサービスを提供することができると共に、呼制御に関する機能を代行処理する呼管理サーバを設置することにより、携帯電話機に搭載する通信機能・性能の負荷を軽減することができる。
【図面の簡単な説明】
【図１】本発明の実施形態に係る携帯電話機ＩＰ接続システムの全体構成図である。
【図２】携帯電話機の外観の一例を示す図である。
【図３】携帯電話機の内部構成の一例を示す図である。
【図４】呼管理サーバの内部構成の一例を示す図である。
【図５】呼管理サーバのコネクション管理テーブルのフォーマットの一例を示す図である。
【図６】本システムの全体の処理の流れ図である。
【図７】携帯電話機の全体処理の流れ図である。
【図８】携帯電話機のＩＰ通信処理の流れ図である。
【図９】呼管理サーバの全体処理の流れ図である。
【図１０】呼管理サーバの管理者による設定処理の流れ図である。
【図１１】呼管理サーバのＩＰパケット処理の流れ図である。
【図１２】携帯電話機と呼管理サーバ間で送受信されるパケットのフォーマットの一例を示す図である。
【符号の説明】
１…ＩＰ網、２…移動体網、３…ＬＡＮ、４…呼管理サーバ、１０…携帯電話機。
【図１】
0004534323.tif 000002
【図２】
0004534323.tif 000003
【図３】
0004534323.tif 000004
【図４】
0004534323.tif 000005
【図５】
0004534323.tif 000006
【図６】
0004534323.tif 000007
【図７】
0004534323.tif 000008
【図８】
0004534323.tif 000009
【図９】
0004534323.tif 000010
【図１０】
0004534323.tif 000011
【図１１】
0004534323.tif 000012
【図１２】
0004534323.tif 000013